(57)【特許請求の範囲】
【請求項１】
経路と垂直に方向決めされ、かつ層と垂直な垂直面に位置するワイヤできつく結びつけられた複数の固められた垂直層を有する廃棄物のベールを前記経路に沿って移動させるための主コンベヤを有し、前記ベールは前方部分を有し、さらに、
前記ワイヤを切断するために前記ベールの垂直層に平行に整列され、かつ、前記層の一部分を前記ベール及び前記切断されたワイヤの残部から分割するために、前記垂直層の間にそれらと平行に入って前記ベールの前方部分を前記ベールの搬送方向に十分に移動させる、前記コンベヤに沿って設けられた切断手段を有し、さらに、
前記ワイヤを前記ベールの残部からもぎとり、それによって、前記ワイヤを前記ベールから除去するために、コンベヤと作動的に組み合ったワイヤ除去手段を有することを特徴とする、層をなした廃棄物のベールからワイヤを除去する装置。
【請求項２】
前記ベールの前記分割した層を除去するために前記ベールの移動経路に沿って前記主コンベヤの下流にある引出しコンベヤを有する、請求項１に記載の装置。
【請求項３】
前記主コンベヤが排出端部を有し、
前記ワイヤ除去手段は、
前記主コンベヤの排出端部に隣接して配置され、かつ、
前記ワイヤをワイヤ受入れ凹部の中に集めるために前記主コンベヤの全幅の半分に沿って前記主コンベヤの幅方向の中心まで移動可能なワイヤフックかけプレートと、
前記切断されたワイヤを巻かれたワイヤとするために前記凹部に設けられたフォーク手段と、
前記巻かれたワイヤを前記ワイヤ受入れ凹部から取り除くためのコイル除去装置とを有する、請求項１に記載の装置。
【請求項４】
前記切断手段は、下部の鋸歯状歯を有する一対の隣接した刃と、前記刃の一方を他方に対して移動させて前記ワイヤを越えて前記ベールまで切断し、層の前記部分を前記ベールから分割させるための手段とを有する、請求項１に記載の装置。
【請求項５】
前記切断手段は、前記ワイヤ及び前記ベールを切り取り、層の前記部分を前記ベールから分割するために下方に移動できる細長い刃を有する、請求項１に記載の装置。
【請求項６】
前記切断手段は、前記ベールを横切って移動して前記ワイヤを切断しかつ層の前記部分を前記ベールから分割する回転鋸歯状刃を有する、請求項１に記載の装置。
【請求項７】
前記ワイヤフックかけプレートは、前記ワイヤを集める上部分と、前記集められたワイヤを前記ワイヤ受入れ凹部の中に移動させる下部分との間に枢動可能に設けられている、請求項３に記載の装置。
【請求項８】
前記ワイヤフックかけプレートは、湾曲フックプレートであり、前記間隔を隔てた湾曲フックプレートを互いに交互嵌合した重なり合う位置に移動させて全てのワイヤを間に集めるための手段を有する、請求項７に記載の装置。
【請求項９】
前記切断されたワイヤがそれに付着した廃棄材料を有する場合に、前記フックかけ手段は、前記付着した廃棄材料が前記ワイヤから取り除かれかつ前記集められたワイヤが前記廃棄材料から離れるまで、前記ワイヤを集め、前記ワイヤを解放し、繰り返して前記ワイヤを再び収集するように作動でき、前記集められたワイヤは、前記廃棄材料から離れて前記ワイヤ受入れ凹部の中に移動する、請求項７に記載の装置。
【請求項１０】
前記フォーク手段は、前記集められたワイヤを捕らえるために前記ワイヤ受入れ凹部の中に往復できる回転フォークと、前記ワイヤを前記ベールから引っ張ってコイルにするために前記フォークを回転させるための手段と、前記コイルを前記フォークから離して前記凹部の中に残すために、前記フォークを引っ込めるための手段と、前記コイルを前記凹部から押し離すために前記コイルの中に移動できる除去フィンガーとを有する、請求項３に記載の装置。
【請求項１１】
ベールの一端から他端まで固められた廃棄紙及び廃棄厚紙をきつく固めて垂直に整列した層をなしたベールからワイヤを切断しかつ除去する装置であって、
垂直に整列した複数の層を有しワイヤ留めされたベールを移動させるための支持体と、
垂直な平面によって前記ワイヤを切り離し、かつ、前記ベールの端が前記ベール及び前記切断されたワイヤから離れて落下するように前記ベールを前記層と平行に十分に切り離すための、前記支持体に設けられたカッターと、
前記ワイヤを前記ベールの残部から引き離すために前記支持体と作動的に組み合ったワイヤ引張り手段と、を有することを特徴とする層をなしたベールからワイヤを切断しかつ除去する装置。
【請求項１２】
層と垂直にかつ垂直面内でベールのまわりを走るワイヤできつく結びつけられた垂直層を有する廃棄材料を固めて層をなしたベールからワイヤを除去する方法であって、前記ベールを通路に沿って移動させ、前記通路に沿った切断ステーションを備え、前記ベール上のワイヤを切り離し、前記ベールの前方部分を前記ベール及び前記切断されたワイヤの残部から分割するために十分な距離にわたって前記ベールに切り込み、前記ワイヤの前方端を廃棄材料に対し解放し、前記ベールの前方にある前記切断されたワイヤを集めて固めた束にし、そして、前記ベールの残部から前記ワイヤを除去する工程を包含する、層をなしたベールからワイヤを除去する方法。
【請求項１３】
前記切断されたワイヤを集める工程は、２つの向かい合った方向から前記ワイヤをフックでひっかけて、前記ワイヤを互いの方に向かって移動させて束にする工程を包含する、請求項１２に記載の方法。
【請求項１４】
前記ベールの前方の分割した部分からの廃棄材料が前記ワイヤに付着し、前記切断されたワイヤを集める工程は、前記ベールの分割した前方部分からの廃棄材料が前記ワイヤから取り除かれるまで、前記ワイヤを繰り返して移動させて束にし、前記ワイヤを解放し、前記ワイヤを再び集め、次に、前記集められたワイヤを巻く工程を包含する、請求項１３に記載の方法。
【請求項１５】
前記ワイヤを切断し、前記ベールの前方部分を分割する工程は、往復する鋸歯状歯付カッターで前記ワイヤ及びベールをひき切り離す工程を包含する、請求項１２に記載の方法。
【請求項１６】
前記ワイヤを切断する工程は、鋭利な刃を前記ワイヤ及びベールを貫通して下方に移動させて前記ベールの前方部分を分割する工程を包含する、請求項１５に記載の方法。
【請求項１７】
前記ワイヤ及び前記ベールを切断する工程は、前記ベールを横切って回転鋸歯状刃を通過させ、前記ワイヤを切断し、前記ベールの前方部分を前記ベールの残部から分割する工程を包含する、請求項１５に記載の方法。
【請求項１８】
前記ワイヤを切断する工程は、前記ベールの中へ下方に移動して分割すべきベールを分割する工程を包含する、請求項１５に記載の方法。
【請求項１９】
前記ワイヤを集めている間に、前記ベールの分割した前方部分を前記切断ステーションから除去する工程を包含する、請求項１２に記載の方法。
【請求項２０】
ワイヤを除去する前記工程は、ワイヤを巻くための次のベールからの隙間を作るために、前記切断されたワイヤを巻き、前記巻かれたワイヤを前記切断ステーションから移動させる工程を包含する、請求項１２に記載の方法。
【請求項２１】
前記主コンベヤが、前記ベールの残部のワイヤをもぎとりながら、前記前記ワイヤ除去手段の方向に前記ベールの残部を移動するように作動する、請求項１に記載の装置。
【発明の詳細な説明】
【０００１】
【発明の属する技術分野】
本発明は、圧縮材料、特に再利用に用いられるべき固められた廃棄厚紙及び廃棄紙のベールのまわりのワイヤを除去する装置及び方法に関する。
【０００２】
【従来の技術】
しばしば、廃棄厚紙又は他の紙廃棄物のベールは、廃棄材料を固め貯蔵容器の中に排出させることによって形成される。種々の時間間隔をおいて、廃棄材料は固められて垂直層になる。この工程は、貯蔵容器が満たされて固められたベールが貯蔵容器から取り出されるまで繰り返される。このとき、ワイヤをベールのまわりにきつく巻きつけ、ベールがその後の発送のために圧縮状態のままであるようにする。
【０００３】
【発明が解決しようとする課題】
固めた後の廃棄材料はワイヤに逆らって膨張しようとするかなりの弾性を有するので、廃棄材料ベールをまとめて保持するワイヤはかなりの緊張状態にある。しばしば、ワイヤは廃棄材料を押し切り、ワイヤがベールにきつく付着し、ワイヤが切断された後でさえワイヤとベールとの間にかなりの摩擦を引き起こすことがある。ワイヤとベールとの間のこの摩擦即ち付着は、ワイヤが機械的ワイヤ除去装置又は自動化ワイヤ除去装置によって除去されるときに困難を引き起こす。もし切断されたワイヤが単にベールの表面に沿って中央収集個所即ち引張り位置まで引っ張られるならば、ワイヤとベールとの間の付着は、しばしば、ワイヤがベールから離れて引っ張られるのではなくワイヤが破断するほど大きくなることがある。この状況は、自動化装置を用いてワイヤをベールから除去することは、コスト効果の少ないものにする。
【０００４】
【課題を解決するための手段】
本発明は、ワイヤの切断中にベールの一部分をベールの残部から分割し、ベールの分割した部分はベールの残部から離れて落下しかつワイヤから分割されることによって、廃棄紙及び廃棄厚紙のような廃棄材料の圧縮ベールからワイヤを除去する独特の装置及び方法に差し向けられる。これにより、ベールの表面積を少なくワイヤと接触させた状態にして、ワイヤとベールとの間の付着面積を減じる。その結果、ワイヤ破断の危険が著しく少ない状態で、ワイヤはベールの残部から離れていっそうむらなく引っ張られる。
本発明の１つの形態においては、往復する鋸歯状刃を用いることによってベールは切断され、ベールの前方部分は分割される。好ましい形態においては、切断されたワイヤは、一対の収集フックによって集められて束になる。もし、廃棄材料がなおワイヤにくっついて離れずワイヤの束の形成を妨げるならば、廃棄材料がワイヤの束から取り除かれるまでフックを繰り返して往復させる。ワイヤは回転フォーク装置に集められコイルに形成されるのが好ましく、続いてこのコイルは収集貯蔵容器に排出される。
【０００５】
本発明の方法は、ワイヤを切り離してベールの前方部分をベールの残部から分割し、同時に、ベールワイヤから離れて分割するのが好ましい。次に、ワイヤはベールの残部から中央収集位置まで引っ張られ、この位置でワイヤは除去される。
本発明の方法及び装置の利点により、ワイヤの破損がなく、かつ、ワイヤをベールからいっそうむらなく除去することになる。
【０００６】
【発明の実施の形態】
本発明の装置は、ベールの分割した層を除去するための引出しコンベヤを有するのが好ましい。
ワイヤ除去手段は、層の分割した部分に隣接して配置され、かつ、ワイヤをワイヤ受入れ凹部の中に集めるための向かい合って対になったワイヤフックかけ手段と、切断されたワイヤを巻くために凹部に設けられたフォーク手段と、巻かれたワイヤをワイヤ受入れ凹部から取り除くためのコイル除去装置とを有するのが好ましい。
切断手段は、下部の鋸歯状歯を有する一対の隣接した刃と、刃の一方を他方に対して移動させてワイヤを越えて前記ベールまで切断し、層の部分をベールから分割させるための手段とを有するのが好ましい。
切断手段は、ワイヤ及びベールを切り取り、層の一部分をベールから分割するために下方に移動できる細長い刃を有するのが好ましい。
切断手段は、ベールを横切って移動してワイヤを切断しかつ層の一部分をベールから分割する回転鋸歯状刃を有するのが好ましい。
【０００７】
ワイヤフックかけ手段は、ワイヤを集める上部分と、集められたワイヤをワイヤ受入れ凹部の中に移動させる下部分との間に枢動可能に設けられているのが好ましい。
ワイヤフックかけ手段は、２組の向かい合って間隔を隔てた湾曲フックプレートと、間隔を隔てた湾曲フックプレートの一方の組を他方の組に対して交互嵌合した重なり合う位置に移動させてワイヤを間に集めるための手段とを有するのが好ましい。
切断されたワイヤがそれに付着した廃棄材料を有する場合に、フックかけ手段は、付着した廃棄材料がワイヤから取り除かれかつ集められたワイヤが廃棄材料から離れるまで、ワイヤを集め、ワイヤを解放し、繰り返してワイヤを再び収集するように作動でき、集められたワイヤは廃棄材料から離れてワイヤ受入れ凹部の中に移動されるのが好ましい。
フォーク手段は、集められたワイヤを捕らえるためにワイヤ受入れ凹部の中に往復できる回転フォークと、ワイヤをベールから引っ張ってコイルにするためにフォークを回転させるための手段と、コイルをフォークから離して凹部の中に残すためにフォークを引っ込めるための手段と、コイルを凹部から押し離すためのコイルの中に移動できる除去フィンガーとを有するのが好ましい。
【０００８】
本発明の方法は、層と垂直にかつ垂直面内でベールのまわりを走るワイヤできつく結びつけられた垂直層を有する廃棄材料を固めて層をなしたベールからワイヤを除去する方法であって、ベールを通路に沿って移動させ、通路に沿った切断ステーションを備え、ベール上のワイヤを切り離し、ベールの前方部分をベール及び切断されたワイヤの残部から分割するために十分な距離にわたってベールに切り込み、ワイヤの前方端を廃棄材料に対し解放し、ベールの前方にある切断されたワイヤを集めて固めた束にし、そして、ベールの残部からワイヤを除去する工程を包含するのが好ましい。
本発明の方法においては、切断されたワイヤを集める工程は、２つの向かい合った方向からワイヤをフックでひっかけて、ワイヤを互いの方に向かって移動させて束にする工程を包含するのが好ましい。
本発明の方法においては、ベールの前方の分割した部分からの廃棄材料がワイヤに付着し、切断されたワイヤを集める工程は、ベールの分割した前方部分からの廃棄材料がワイヤから取り除かれるまで、ワイヤを繰り返して移動させて束にし、ワイヤを解放し、ワイヤを再び集め、次に、集められたワイヤを巻く工程を包含するのが好ましい。
【０００９】
ワイヤを切断し、ベールの前方部分を分割する工程は、往復する鋸歯状歯付カッターでワイヤ及びベールをひき切り離す工程を包含するのが好ましい。
ワイヤを切断する工程は、鋭利な刃をワイヤ及びベールを貫通して下方に移動させてベールの前方部分を分割する工程を包含するのが好ましい。
ワイヤ及びベールを切断する工程は、ベールを横切って回転鋸歯状刃を通過させ、ワイヤを切断し、ベールの前方部分をベールの残部から分割する工程を包含するのが好ましい。
ワイヤを切断する工程は、随時、ベールの中へ下方に移動して、分割するのが特にむずかしい過大な量の分割すべきベールを分割する工程を包含するのが好ましい。
本発明の方法は、ワイヤを集めている間に、ベールの分割した前方部分を切断ステーションから除去する工程を包含するのが好ましい。
ワイヤを除去する工程は、ワイヤを巻くための次のベールからの隙間を作るために、切断されたワイヤを巻き、巻かれたワイヤを切断ステーションから移動させる工程を包含するのが好ましい。
【００１０】
【実施例】
図１に最も良く示すように、ワイヤ除去ステーションには、主コンベヤＭＣと、一対の間隔を隔てた支持スタンド１２及び１３とが設けられる。高度に圧縮した廃棄材料で形成されたベールＢが複数の概ね垂直な層Ｌに形成され、層と直角をなしてベールのまわりに巻かれた複数のワイヤＷによって適所に保持される。ベールはコンベヤＭＣでワイヤ除去スタンドに供給され、ワイヤ及びベール切断機構１４の下方に位置決めされる。
図２及び図１４に最も良く示すように、ワイヤ及びベール切断機構１４は、固定刃１６と可動刃１８とを備える。可動刃は後方の固定刃に固定された停止装置２２を受け入れる一対のスロット２０を有する。油圧ラム２４が、可動刃を固定刃に対して往復させ、２つの刃の歯２５がのこぎり作動を行う。次に刃が下げられるにつれて、のこぎり作動は、ワイヤＷを切り離すばかりでなく、ベールの層の一部分即ち端ＳＥをベールの残部から切り離す。前方部分は、ベールから引出しコンベヤＴＣ上に落下し、かくして、主コンベヤＭＣの排出端の先端上に垂れ下がったままであるワイヤから取り除かれる。図１４に最も良く示すように、刃１６及び１８はクロス梁２６に取付けられ、このクロス梁２６は固定垂直チェーン２８に係合する一対のスプロケット２７によって垂直に上下移動できる。スプロケットは在来の方法で動力を供給され、スプロケットは同時に同方向に回転して梁を移動させ、かくして２つの刃を垂直に上下して移動させてワイヤ及びベールを切り離し、次に引っ込めてベールの残部からはずす。普通、２つの刃は、ベールの前方の切り離された端を離すために必要な程度まで、ベールのワイヤの深さを超えてベールの中に下方に移動される。もし、ベールの材料が前方端を分割するのが難しいようなものであれば、そのうえに、２つの刃は標準より更に下方に引かれる。
【００１１】
図１５はカッターの変形例の形態を示し、この変形例の形態においては、回転切断刃がクロス梁２６に適当に取付けられ、回転されかつ同時にベールを横切って移動されてワイヤを切断しかつベールの前方部分をベールから切り離す。
図４から図９に最も良く示すように、ベールの上部で切断されたワイヤは、分割した端ＳＥの崩壊したものと共に主コンベヤＭＣの排出端の上に自由落下する。ワイヤはコンベヤの端の上にあり、一般的には互いに間隔を隔てる。このとき、一対の右側収集フック３２及び一対の左側収集フック３４が設けられており、互いの方に向かって往復し、切断されたワイヤを集めて対をなすフック間で交差させる。フックは別々のシリンダ３５によって往復され、随時、図４に示すように、まだワイヤに付着している残留廃棄材料を集める。ワイヤが巻かれベールから除去される以前に、この廃棄材料をワイヤから取り除くことが望ましい。この目的のために、収集フックは、廃棄材料がワイヤから落下するまで、互いに離れ及び再び互いの方に向かって往復される。通常、これは収集フックの１回又は２回の追加の往復運動のあとに生じる。
廃棄材料がワイヤから取り除かれたあとにあるとしても、収集フックはワイヤを集めて図６に示すように束にする。このとき、収集フックは更にラム３８（図１２）によって回転され、ワイヤの束をワイヤ収集凹部４０の中に下方に引き込む。回転フォーク４２がワイヤ収集凹部４０内に取付けられ、このフォークはワイヤ収集凹部の反対側の開口部４４（図１１）に受け入れられ、該フォークは凹部を横切る距離全体に延在する。フォークのスロットは垂直に位置決めされ、図７に示すようにワイヤの集められた束を越えて移動する。次に、収集フックは凹部を離れて図８に示すような開放位置まで移動される。次に、モータが在来の方法でフォークを回転させる。フォークはワイヤを集め、ワイヤを束の残部から引っ張ってコイルにする。もはや、ワイヤの前方部分が束のいかなる部分にも連結されていないので、ワイヤとベールとの間の摩擦だけがベールの残部での摩擦である。これはワイヤとベールとの間のかなり小さな接触面積であり、普通、ワイヤはワイヤが破断する程度までベールから引かれることに耐えるのに十分なベールとの付着力を有しない。かくして、ワイヤは自由に引っ張られかつ巻かれて、図９に示すように緊密なコイルになる。
【００１２】
コイルをワイヤ収集凹部から取り除くことを助けるために、５５で軸支された押しフィンガー５４がラム５８の作動によってガイド５６に沿って作動され、フィンガー５４は図１２に示す引っ込め位置から図１１に示す伸長位置まで移動され、この伸長位置でフィンガー５４は開口部４４を通り過ぎて、コイルをワイヤ収集凹部からコンベヤ５０の上へ押し、コンベヤ５０のところでコイルは除去される。コンベヤはコイルを回収箱５２まで移動させる。
本発明の方法及び装置の作動は、層をなした廃棄材料の圧縮ワイヤ留めベールをワイヤ除去ステーション１０まで移動させることによって最も良く説明される。このワイヤ除去ステーションで、ワイヤ切断及びベール切断刃をワイヤを通り過ぎてベールの中に十分に深く下げ、ベールの前方端が分割され引出しコンベヤの上に落下する。これにより、ワイヤを束の前方端で自由な状態にしておき、このときにワイヤは集められ、収集フックによって束にされ、収集フックはワイヤをワイヤ収集凹部の中に引き下ろす。次に、束にされたワイヤはワイヤ受入れ凹部に受け入れられた回転フォークによって巻かれ、ワイヤはベールの残部から引っ張られる。次に、巻かれたワイヤはワイヤ受入れ凹部から除去され、この方法が繰り返される準備ができる。ワイヤ巻きフォークでワイヤを巻いている間、主コンベヤＭＣは、図９に示すように進められ、ベールの残部が主コンベヤの前方端から落ち始める。これにより、ワイヤがベールの残部に付着していることからワイヤを解放することを更に助ける。
【００１３】
本発明の実施の形態を図示しかつ説明したけれども、更なる変形が当業者にとっては明白であろうことを理解すべきである。例えば、ワイヤは回転フォークとは異なった機構によって引っ張られてもよい。切断刃は鋭利なギロチンタイプの刃であってもよい。従って、本発明は、図面に示した特定の実施の形態に限定されない。
【図面の簡単な説明】
【図１】ワイヤ除去ステーションできつく圧縮されたベールを保持するワイヤを有する圧縮ベールを等角投影法で示す図である。
【図２】切断されたワイヤ、及び、ベールから分割したベールの前方部分を示す図である。
【図３】切断されたワイヤを収集することを示す図である。
【図４】ワイヤにくっついて離れない廃棄材料をはずすためにフックを用いる収集技術を示す図である。
【図５】ワイヤにくっついて離れない廃棄材料をはずすためにフックを用いる収集技術を示す図である。
【図６】ワイヤから離れた状態でのワイヤの収集を示す図である。
【図７】ワイヤを集め、それらを巻きフォークが把持することができる位置にすることを示す図である。
【図８】巻きフォークによって集められたワイヤを示す図である。
【図９】巻かれかつベールから引っ張られたワイヤを示し、ベールの残部はコンベヤに沿って進められワイヤのベールからの除去を助けることを示す図である。
【図１０】巻かれたワイヤを装置から除去することを示す図である。
【図１１】巻かれたワイヤを装置から除去することを示す図である。
【図１２】ワイヤ収集フックを移動させかつ巻かれたワイヤを機械から取り除くために、フィンガーを移動させる機構のいっそうの細部を示す側面図である。
【図１３】ワイヤ収集フックを往復させる機構を示す図である。
【図１４】ワイヤ切断及びベールひき切り装置を往復させる機構を示す図である。
【図１５】ワイヤ切断及びひき切り装置の変形例の形態を示す概略図である。
【符号の説明】
Ｂ    ベール
Ｌ    層
ＭＣ  主コンベヤ
ＳＥ  端
ＴＣ  引出しコンベヤ
Ｗ    ワイヤ
１２、１３  支持スタンド
１４  ワイヤ及びベール切断機構
１６  固定刃
１８  可動刃
２０  スロット
２２  停止装置
２４  油圧ラム
２５  歯
２６  クロス梁
２７  スプロケット
２８  固定垂直チェーン
３２  右側収集フック
３４  左側収集フック
３５  シリンダ
３８  ラム
４０  ワイヤ収集凹部
４２  回転フォーク
４４  開口部
５０  コンベヤ
５２  回収箱
５４  フィンガー
５５  軸
５６  ガイド
５８  ラム
【図１】
0003715373.tif 000002
【図２】
0003715373.tif 000003
【図３】
0003715373.tif 000004
【図４】
0003715373.tif 000005
【図５】
0003715373.tif 000006
【図６】
0003715373.tif 000007
【図７】
0003715373.tif 000008
【図８】
0003715373.tif 000009
【図９】
0003715373.tif 000010
【図１０】
0003715373.tif 000011
【図１１】
0003715373.tif 000012
【図１２】
0003715373.tif 000013
【図１３】
0003715373.tif 000014
【図１４】
0003715373.tif 000015
【図１５】
0003715373.tif 000016